【手続補正書】
【提出日】平成15年11月28日(2003.11.28)
【手続補正１】
【補正対象書類名】明細書
【補正対象項目名】発明の名称
【補正方法】変更
【補正の内容】
【発明の名称】画像形成装置及び画像形成装置の制御方法
【手続補正２】
【補正対象書類名】明細書
【補正対象項目名】特許請求の範囲
【補正方法】変更
【補正の内容】
【特許請求の範囲】
【請求項１】
外部装置からのデータの入力手段と、外部装置からのデータの入力手段と転送されてきたデータのビットマップデータヘの変換手段と、前記ビットマップデータを保存可能な記憶手段と、前記ビットマップデータを出力するプリンタ機能と、出力する画像を製本レイアウトで出力する機能と、出力用紙の中央にステイプル処理を行い、用紙を半分に折って製本出力可能な製本機能と、を備え、外部装置からのデータの出力において、製本可能なページ数以上のデータで、製本出力不可能な場合の代替出力手段を選択可能とすることを特徴とする画像形成装置。
【請求項２】
請求項１に記載の画像形成装置であって、外部装置からのデータの出力において、製本出力不可能な場合の代替出力手段を外部から指定することを特徴とする画像形成装置。
【請求項３】
請求項１又は２の画像形成装置であって、外部装置からのデータの出力において、製本出力不可能な場合の代替出力手段を複数持つことを特徴とする画像形成装置。
【請求項４】
コンピュータから出力されたデータに基づいて出力用紙に画像形成可能なプリント機能を有する画像形成装置であって、
前記コンピュータの操作部を介して製本指定がなされた場合に、前記コンピュータから出力されたデータに基づいた画像形成を行い、該画像形成された出力用紙の中央部分に対してステイプル処理を施し、該出力用紙を中央部分を軸に折り処理を施す、製本処理を、実行可能に制御する制御手段を有し、
前記制御手段は、
前記コンピュータから出力される処理対象となるデータのページ数が前記製本処理により処理可能なページ数よりも小さい場合に、前記製本処理の実行を許可し、
前記コンピュータから出力される処理対象となるデータのページ数が前記製本処理により処理可能なページ数よりも大きい場合に、該コンピュータからのデータの製本処理を禁止して片面印刷処理を実行させる第1の代替処理、及び、該コンピュータからのデータの製本処理を禁止して両面印刷処理を実行させる第２の代替処理、及び、該コンピュータからのデータの製本処理を禁止して１枚の出力用紙の同一面上に複数ページの画像をレイアウトするＮｉｎ１処理を実行させる第３の代替処理、及び、該コンピュータからのデータの製本処理を禁止して分割出力させる第４の代替処理、及び、該コンピュータからのデータの製本処理を禁止してジョブをキャンセルさせる第５の代替処理、のうちの、少なくとも何れかの代替処理を含む複数の代替処理のうちの何れかの代替処理を実行可能にする、ことを特徴とする画像形成装置。
【請求項５】
コンピュータから出力されたデータに基づいて出力用紙に画像形成可能なプリント機能を有する画像形成装置の制御方法であって、
前記コンピュータの操作部を介して製本指定がなされた場合に、前記コンピュータから出力されたデータに基づいた画像形成を行い、該画像形成された出力用紙の中央部分に対してステイプル処理を施し、該出力用紙を中央部分を軸に折り処理を施す、製本処理を、実行可能にし、
前記コンピュータから出力される処理対象となるデータのページ数が前記製本処理により処理可能なページ数よりも小さい場合に、前記製本処理の実行を許可し、
前記コンピュータから出力される処理対象となるデータのページ数が前記製本処理により処理可能なページ数よりも大きい場合に、該コンピュータからのデータの製本処理を禁止して片面印刷処理を実行させる第1の代替処理、及び、該コンピュータからのデータの製本処理を禁止して両面印刷処理を実行させる第２の代替処理、及び、該コンピュータからのデータの製本処理を禁止して１枚の出力用紙の同一面上に複数ページの画像をレイアウトするＮｉｎ１処理を実行させる第３の代替処理、及び、該コンピュータからのデータの製本処理を禁止して分割出力させる第４の代替処理、及び、該コンピュータからのデータの製本処理を禁止してジョブをキャンセルさせる第５の代替処理、のうちの、少なくとも何れかの代替処理を含む複数の代替処理のうちの何れかの代替処理を実行可能にする、ことを特徴とする画像形成装置の制御方法。
【請求項６】
コンピュータから出力されたデータに基づいて出力用紙に画像形成可能なプリント機能を有する画像形成装置の制御方法であって、
前記コンピュータの操作部を介して製本指定がなされた場合に、前記コンピュータから出力されたデータに基づいた画像形成を行い、該画像形成された出力用紙の中央部分に対してステイプル処理を施し、該出力用紙を中央部分を軸に折り処理を施す、製本処理を、実行可能にし、
前記コンピュータから出力される処理対象となるデータのページ数が前記製本処理により処理可能なページ数よりも小さい場合に、前記製本処理の実行を許可し、
前記コンピュータから出力される処理対象となるデータのページ数が前記製本処理により処理可能なページ数よりも大きい場合に、該コンピュータからのデータの製本処理を禁止して片面印刷処理を実行させる第1の代替処理、及び、該コンピュータからのデータの製本処理を禁止して両面印刷処理を実行させる第２の代替処理、及び、該コンピュータからのデータの製本処理を禁止して１枚の出力用紙の同一面上に複数ページの画像をレイアウトするＮｉｎ１処理を実行させる第３の代替処理、及び、該コンピュータからのデータの製本処理を禁止して分割出力させる第４の代替処理、及び、該コンピュータからのデータの製本処理を禁止してジョブをキャンセルさせる第５の代替処理、のうちの、少なくとも何れかの代替処理を含む複数の代替処理のうちの、前記コンピュータの操作部を介して選択された代替処理を、実行可能にすることを特徴とする画像形成装置の制御方法。
【請求項７】
請求項５又は６に記載の制御方法であって、
前記コンピュータから出力される処理対象となるデータのページ数が前記製本処理により処理可能なページ数よりも大きい場合において、前記コンピュータのプリンタドライバを介して代替処理の指定がされている場合に、該指定により選択された代替処理を実行可能にし、
前記コンピュータから出力される処理対象となるデータのページ数が前記製本処理により処理可能なページ数よりも大きい場合において、前記コンピュータのプリンタドライバを介して代替処理の指定がされていない場合に、前記画像形成装置に保持されている設定の代替処理を実行可能にすることを特徴とする画像形成装置の制御方法。
【手続補正３】
【補正対象書類名】明細書
【補正対象項目名】０００１
【補正方法】変更
【補正の内容】
【０００１】
【発明の属する技術分野】
本発明は、プリンタ機能等を備えた画像形成装置及び画像形成装置の制御方法に関するものである。


【手続補正４】
【補正対象書類名】明細書
【補正対象項目名】０００３
【補正方法】変更
【補正の内容】
【０００３】
【発明が解決しようとする課題】
製本出力不可能な場合の代替出力手段は、装置固有で選択の余地がなかった。
本発明は上記の課題を解決することを目的としてなされたものであり、製本出力不可能な場合の代替出力手段をユーザに選択可能とすることにより、ユーザの望んでいた出力結果に近いかたちでの代替え出力を可能とする画像形成装置及び画像形成装置の制御方法を提供しようとするものである。
【手続補正５】
【補正対象書類名】明細書
【補正対象項目名】０００４
【補正方法】変更
【補正の内容】
【０００４】
【課題を解決するための手段】
本発明に係る画像形成装置及び画像形成装置の制御方法は下記の構成を特徴とする。
（１）外部装置からのデータの入力手段と、外部装置からのデータの入力手段と転送されてきたデータのビットマップデータヘの変換手段と、前記ビットマップデータを保存可能な記憶手段と、前記ビットマップデータを出力するプリンタ機能と、出力する画像を製本レイアウトで出力する機能と、出力用紙の中央にステイプル処理を行い、用紙を半分に折って製本出力可能な製本機能と、を備え、外部装置からのデータの出力において、製本可能なページ数以上のデータで、製本出力不可能な場合の代替出力手段を選択可能とすることを特徴とする画像形成装置。
（２）（１）に記載の画像形成装置であって、外部装置からのデータの出力において、製本出力不可能な場合の代替出力手段を外部から指定することを特徴とする画像形成装置。
（３）（１）又は（２）の画像形成装置であって、外部装置からのデータの出力において、製本出力不可能な場合の代替出力手段を複数持つことを特徴とする画像形成装置。
（４）コンピュータから出力されたデータに基づいて出力用紙に画像形成可能なプリント機能を有する画像形成装置であって、
前記コンピュータの操作部を介して製本指定がなされた場合に、前記コンピュータから出力されたデータに基づいた画像形成を行い、該画像形成された出力用紙の中央部分に対してステイプル処理を施し、該出力用紙を中央部分を軸に折り処理を施す、製本処理を、実行可能に制御する制御手段を有し、
前記制御手段は、
前記コンピュータから出力される処理対象となるデータのページ数が前記製本処理により処理可能なページ数よりも小さい場合に、前記製本処理の実行を許可し、
前記コンピュータから出力される処理対象となるデータのページ数が前記製本処理により処理可能なページ数よりも大きい場合に、該コンピュータからのデータの製本処理を禁止して片面印刷処理を実行させる第1の代替処理、及び、該コンピュータからのデータの製本処理を禁止して両面印刷処理を実行させる第２の代替処理、及び、該コンピュータからのデータの製本処理を禁止して１枚の出力用紙の同一面上に複数ページの画像をレイアウトするＮｉｎ１処理を実行させる第３の代替処理、及び、該コンピュータからのデータの製本処理を禁止して分割出力させる第４の代替処理、及び、該コンピュータからのデータの製本処理を禁止してジョブをキャンセルさせる第５の代替処理、のうちの、少なくとも何れかの代替処理を含む複数の代替処理のうちの何れかの代替処理を実行可能にする、ことを特徴とする画像形成装置。
（５）コンピュータから出力されたデータに基づいて出力用紙に画像形成可能なプリント機能を有する画像形成装置の制御方法であって、
前記コンピュータの操作部を介して製本指定がなされた場合に、前記コンピュータから出力されたデータに基づいた画像形成を行い、該画像形成された出力用紙の中央部分に対してステイプル処理を施し、該出力用紙を中央部分を軸に折り処理を施す、製本処理を、実行可能にし、
前記コンピュータから出力される処理対象となるデータのページ数が前記製本処理により処理可能なページ数よりも小さい場合に、前記製本処理の実行を許可し、
前記コンピュータから出力される処理対象となるデータのページ数が前記製本処理により処理可能なページ数よりも大きい場合に、該コンピュータからのデータの製本処理を禁止して片面印刷処理を実行させる第1の代替処理、及び、該コンピュータからのデータの製本処理を禁止して両面印刷処理を実行させる第２の代替処理、及び、該コンピュータからのデータの製本処理を禁止して１枚の出力用紙の同一面上に複数ページの画像をレイアウトするＮｉｎ１処理を実行させる第３の代替処理、及び、該コンピュータからのデータの製本処理を禁止して分割出力させる第４の代替処理、及び、該コンピュータからのデータの製本処理を禁止してジョブをキャンセルさせる第５の代替処理、のうちの、少なくとも何れかの代替処理を含む複数の代替処理のうちの何れかの代替処理を実行可能にする、ことを特徴とする画像形成装置の制御方法。
（６）コンピュータから出力されたデータに基づいて出力用紙に画像形成可能なプリント機能を有する画像形成装置の制御方法であって、
前記コンピュータの操作部を介して製本指定がなされた場合に、前記コンピュータから出力されたデータに基づいた画像形成を行い、該画像形成された出力用紙の中央部分に対してステイプル処理を施し、該出力用紙を中央部分を軸に折り処理を施す、製本処理を、実行可能にし、
前記コンピュータから出力される処理対象となるデータのページ数が前記製本処理により処理可能なページ数よりも小さい場合に、前記製本処理の実行を許可し、
前記コンピュータから出力される処理対象となるデータのページ数が前記製本処理により処理可能なページ数よりも大きい場合に、該コンピュータからのデータの製本処理を禁止して片面印刷処理を実行させる第1の代替処理、及び、該コンピュータからのデータの製本処理を禁止して両面印刷処理を実行させる第２の代替処理、及び、該コンピュータからのデータの製本処理を禁止して１枚の出力用紙の同一面上に複数ページの画像をレイアウトするＮｉｎ１処理を実行させる第３の代替処理、及び、該コンピュータからのデータの製本処理を禁止して分割出力させる第４の代替処理、及び、該コンピュータからのデータの製本処理を禁止してジョブをキャンセルさせる第５の代替処理、のうちの、少なくとも何れかの代替処理を含む複数の代替処理のうちの、前記コンピュータの操作部を介して選択された代替処理を、実行可能にすることを特徴とする画像形成装置の制御方法。
（７）（５）又は（６）に記載の制御方法であって、
前記コンピュータから出力される処理対象となるデータのページ数が前記製本処理により処理可能なページ数よりも大きい場合において、前記コンピュータのプリンタドライバを介して代替処理の指定がされている場合に、該指定により選択された代替処理を実行可能にし、
前記コンピュータから出力される処理対象となるデータのページ数が前記製本処理により処理可能なページ数よりも大きい場合において、前記コンピュータのプリンタドライバを介して代替処理の指定がされていない場合に、前記画像形成装置に保持されている設定の代替処理を実行可能にすることを特徴とする画像形成装置の制御方法。
【手続補正６】
【補正対象書類名】明細書
【補正対象項目名】０００５
【補正方法】変更
【補正の内容】
【０００５】
【発明の実施の形態】
図１は本発明の実施例の画像処理装置の構成を示すブロック図である。リーダ部１は原稿の画像を読み取り、原稿画像に応じた画像データをプリンタ部２及び画像入出力制御部３へ出力する。


【手続補正７】
【補正対象書類名】明細書
【補正対象項目名】００１５
【補正方法】変更
【補正の内容】
【００１５】
プリンタ部２のレーザドライバ２２１はレーザ発光部２０１を駆動するものであり、リーダ部１から出力された画像データに応じたレーザ光をレーザ発光部２０１に発光させる。


【手続補正８】
【補正対象書類名】明細書
【補正対象項目名】００１８
【補正方法】変更
【補正の内容】
【００１８】
現像剤の乗った記録紙は定着部２０７に搬送され、定着部２０７の熱と圧力により現像剤は記像紙に定着される。定着部２０７を通過した記録紙は排出ローラ２０８によって排出され、ソータ２２０は排出された記録紙をそれぞれのピンに収納して記録紙の仕分けを行う。


【手続補正９】
【補正対象書類名】明細書
【補正対象項目名】００１９
【補正方法】変更
【補正の内容】
【００１９】
なお、ソータ２２０は仕分けが設定されていない場合は最上ピンに記録紙を収納する。ソータ２２０には、出力トレイのほかに、用紙をまとめてホチキス止めするステイプラ２２１と、搬居中の用紙にパンチ穴を開けるパンチャー２２２とを備えている。


【手続補正１０】
【補正対象書類名】明細書
【補正対象項目名】００２０
【補正方法】変更
【補正の内容】
【００２０】
ステイプラ２２１は、２つのステイプルを装備し、１個所止め、２個所止めの使い分けが可能である。また、サドルステッチ２２３も装備している。このサドルステッチ２２３は、用紙の中央に、２個所ステイプル止めをし、さらに、用紙を半分に折って出力するものであり、製本機能を備えている。


【手続補正１１】
【補正対象書類名】明細書
【補正対象項目名】００２２
【補正方法】変更
【補正の内容】
【００２２】
多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。


【手続補正１２】
【補正対象書類名】明細書
【補正対象項目名】００３８
【補正方法】変更
【補正の内容】
【００３８】
例えば、図５のように、８ページのＡ４サイズのデータである場合は、１ページ目と８ページ目をひとつのＡ３ページにはりつけ、同様に２ページ目と７ページ目、３ページ目と６ページ目、４ページ目と５ページ目といった構成で、４ページのＡ３サイズの画像に変換する（製本Ｌａｙｏｕｔ）。


【手続補正１３】
【補正対象書類名】明細書
【補正対象項目名】００３９
【補正方法】変更
【補正の内容】
【００３９】
これを両面で印刷し、フィニッシャー２２０のサドルステッチ２２３を用いて、用紙の中央に、２個所ステイプル止めをし、さらに、用紙を半分に折ってサドルステッチ専用の出力トレイ２２５に出力する。これにより、図５のような製本出力が可能となる。


【手続補正１４】
【補正対象書類名】明細書
【補正対象項目名】００４１
【補正方法】変更
【補正の内容】
【００４１】
６−３で全ページが終了するまで、６−１から６−３の繰り返しとなる。全ページ終了すると、６−４で、トータルのページ数は、処理可能ページ数以下かをチェックする。


【手続補正１５】
【補正対象書類名】明細書
【補正対象項目名】００４５
【補正方法】変更
【補正の内容】
【００４５】
（実施例１）
本発明では、フォーマッタ部８はコンピュータインターフェイス部７を介して、コンピュータからフォーマットのデータを受信する。ここで受信したデータが、８ページの製本印刷の指定されていたデータであった場合、かつ、フィニッシャー２２０のサドルステッチ２２３が２枚（８ページ）の用紙しか処理出来ない場合に、フォーマック部８は全ページプリンタ部２で記録できるビットマップ画像データに展開し、６−２ハードディスク１３に格納後、６−４の処理に移行する。


【手続補正１６】
【補正対象書類名】明細書
【補正対象項目名】００４６
【補正方法】変更
【補正の内容】
【００４６】
全ページ数＝処理可能ページ数であるため、１ページ目から８ページ目までを、６−５製本レイアウト、６−６印刷を行い、そのまま終了する。この際の出力結果は、図５となる。


【手続補正１７】
【補正対象書類名】明細書
【補正対象項目名】００４９
【補正方法】変更
【補正の内容】
【００４９】
７−５の処理の詳細を図８に示す。１６ページデータを８ページに収めるためには、１ページに２ページ分のデータをレイアウトする必要がある。これは、全ページ数を製本可能ページ数で除算した値によりもとめられる（８−１）。全ページ数が製本可能ページでない場合には、さらに１をプラスする必要がある（８−３）。


【手続補正１８】
【補正対象書類名】明細書
【補正対象項目名】００５１
【補正方法】変更
【補正の内容】
【００５１】
(実施例３)
本発明では、フォーマッタ部８はコンピュータインターフェイス部７を介して、コンピュータからフオーマットのデータを受信する。ここで受信したデータが、２０ページの製本印刷の指定されていたデータであった場合、かつ、フィニッシャ２２０のサドルステッチ２２３が２枚（８ページ）の用紙しか処理出来ない場合に、フォーマッタ部８は全ページプリンタ部２で記録できるビットマップ画像データに展開し、６−２でハードディスク１３に格納後、６−４の全ページ数２０が処理可能ページ数８より多いため、６−８の代替処理に移行する。


【手続補正１９】
【補正対象書類名】明細書
【補正対象項目名】００５５
【補正方法】変更
【補正の内容】
【００５５】
再度８−６の処理に戻り、残ページ数＞０であるため、１７ページ目から２０ページ目までを、８−７製本レイアウト、８−８印刷を行い、８−９で、残ページを変更する。この場合４−４で残ページは、０となり、再度８−６の処理に戻り、そのまま終了する。この際の出力結果を図１０に示す。